(57)【要約】【課題】記録媒体の加温を行う際に、記録媒体に伝える熱量を制御することにより、記録媒体の変形等の品質劣化を防止することのできるインクジェット記録装置を提供する。【解決手段】記録媒体５の表面温度が所定の値以上にならないようにするために、所定の温度を温度検出装置が検知した後に記録媒体５の温度が上昇しないように、制御部２５はヒータ移動機構１５を制御してヒータ１４と記録媒体５との距離を増加させる。【選択図】  図１
2005014362.tif 000002
【特許請求の範囲】
【請求項１】
記録媒体上にインクを吐出する記録ヘッドと、記録媒体を搬送する搬送機構と、を備えるインクジェット記録装置において、
前記記録媒体に対して加温を行う加温装置と、前記記録媒体の温度を測定する温度検出装置と、前記温度検出装置により測定された記録媒体の温度が入力される制御部と、を備え、
前記制御部は、前記温度検出装置から入力された記録媒体の温度が前記制御部に予め設定された温度を超えた場合に、前記加温装置により記録媒体に加える熱量を少なくさせるように前記加温装置を制御することを特徴とするインクジェット記録装置。
【請求項２】
前記制御部は、非記録動作時に前記加温装置により記録媒体に加える熱量を少なくさせるように加温装置を制御することを特徴とするインクジェット記録装置。
【請求項３】
前記温度検出装置は、記録媒体の表面温度を測定する温度センサを備え、
前記温度センサは、記録媒体に接触しないで、記録媒体の表面温度を測定する非接触型のセンサであることを特徴とする請求項１又は請求項２に記載のインクジェット記録装置。
【請求項４】
前記加温装置は、記録媒体に接触しないで記録媒体の加温を行う非接触型のヒータを備えることを特徴とする請求項１から請求項３に記載のインクジェット記録装置。
【請求項５】
前記加温装置は、前記ヒータを記録媒体と垂直方向に往復移動させるヒータ移動機構を備え、
前記制御部は、前記ヒータと前記記録媒体との距離を増減させるように、前記ヒータ搬送機構を制御することを特徴とする請求項４に記載のインクジェット記録装置。
【請求項６】
前記インクは、光を照射されることで硬化する光硬化型インクであることを特徴とする請求項１から請求項５に記載のインクジェット記録装置。
【請求項７】
前記インクは、カチオン重合系の紫外線硬化型インクであることを特徴とする請求項１から請求項５に記載のインクジェット記録装置。
【発明の詳細な説明】
【０００１】
【発明の属する技術分野】
本発明は、インクジェット記録装置に係り、特にインクジェット方式により画像記録を行うインクジェット記録装置に関するものである。
【０００２】
【従来の技術】
従来から包装材に画像記録を行う場合、グラビア印刷方式やフレキソ印刷方式が通常用いられている。しかしグラビア印刷方式やフレキソ印刷方式では製版工程が必要となるため、小ロット印刷を行うには、コスト面で不利となる。
そこで簡易かつ安価に画像を記録できる画像記録手段として、インクジェット方式を用いたインクジェット記録装置が開発されている。このインクジェット記録装置には、インクを記録媒体に小滴として吐出する記録ヘッドと、記録媒体上に吐出されたインクドットを硬化させるため光を照射する光源とが備えられており、画像記録は、前記記録ヘッドと前記光源とを搭載したキャリッジが記録媒体上を移動することにより記録媒体に行われる（例えば、特許文献１参照）。
【０００３】
このインクジェット記録装置の中には、高い画像品質を得る目的で、画像記録の際にインクが記録媒体に着弾した後からインクが乾燥するまでの間、インク温度を所定の範囲内に維持すると各インクドットが互いに等しい形になるという現象を利用して、加温された記録媒体にインクを吐出する構成のインクジェット記録装置が開発されている。また光硬化型インクを用いる場合には、インクの硬化に必要な光量を低下させる目的で、加温された記録媒体にインクを吐出する構成のインクジェット記録装置が開発されている。
【０００４】
【特許文献１】
特開２００１―３１０４５４号公報
【０００５】
【発明が解決しようとする課題】
しかしながら、従来のインクジェット記録装置では、様々な種類又は厚さの記録媒体に加温しながら画像記録を行う場合、記録媒体の種類又は厚さによって温度上昇速度は様々な挙動を示す。なかでも樹脂材料で構成された記録媒体は、所定の温度を超えてしまうと変形等の記録媒体の品質劣化が生じてしまうという問題点がある。
このような現象は、搬送機構により記録媒体を移動させながら画像記録を行う構成のインクジェット記録装置において、記録へッド等のメンテナンスの際や、記録媒体の切断の際に、搬送機構の停止により記録媒体の一部分が加温された状態に維持されることで顕著に発生してしまう。
【０００６】
本発明は前記した点に鑑みなされたものであり、記録媒体の加温を行う際に、記録媒体に伝える熱量を制御することにより、変形等の記録媒体の品質劣化を防止することができるインクジェット記録装置を提供することを目的とするものである。
【０００７】
【課題を解決するための手段】
以上の課題を解決するために請求項１に記載のインクジェット記録装置は、記録媒体上にインクを吐出する記録ヘッドと、記録媒体を搬送する搬送機構と、を備えるインクジェット記録装置において、前記記録媒体に対して加温を行う加温装置と、前記記録媒体の温度を測定する温度検出装置と、前記温度検出装置により測定された記録媒体の温度が入力される制御部と、を備え、前記制御部は、前記温度検出装置から入力された記録媒体の温度が前記制御部に予め設定された温度を超えた場合に、前記加温装置により記録媒体に加える熱量を少なくさせるように前記加温装置を制御することを特徴としている。
【０００８】
請求項１に記載の発明によれば、温度検出装置により測定された記録媒体の温度が、予め設定された温度を超えた場合に、前記制御部は前記加温装置により記録媒体に加える熱量を少なくさせるので、記録媒体が変形等を生じる温度を超えてしまうことを回避することができる。
【０００９】
請求項２に記載の発明は、請求項１に記載のインクジェット記録装置において、前記制御部は、非記録動作時に前記加温装置により記録媒体に加える熱量を少なくさせるように加温装置を制御することを特徴としている。
【００１０】
請求項２に記載の発明によれば、前記制御部は、非記録動作時において記録媒体に加えられる熱量を少なくさせるので、非記録動作時において記録媒体が加温されている場合であっても、記録媒体が変形等を生じる温度を超えてしまうことを回避することができる。
【００１１】
請求項３に記載の発明は、請求項１又は請求項２に記載のインクジェット記録装置において、前記温度検出装置は、記録媒体の表面温度を測定する温度センサを備え、前記温度センサは、記録媒体に接触しないで、記録媒体の表面温度を測定する非接触型のセンサであることを特徴としている。
【００１２】
請求項３に記載の発明によれば、前記温度センサは、記録媒体表面に接触しないので、記録媒体の搬送を妨げることなく記録媒体の表面温度を測定することができる。
【００１３】
請求項４に記載の発明は請求項１から請求項３のいずれか一項に記載のインクジェット記録装置おいて、前記加温装置は、記録媒体に接触しないで記録媒体の加温を行う非接触型のヒータを備えることを特徴としている。
【００１４】
請求項４に記載の発明によれば、前記ヒータは、記録媒体に接触しないので記録媒体の搬送を妨げることなく記録媒体を加温することができる。
【００１５】
請求項５に記載の発明は請求項４に記載のインクジェット記録装置において、前記加温装置は、前記ヒータを記録媒体と垂直方向に往復移動させるヒータ移動機構を備え、前記制御部は、前記ヒータと前記記録媒体との距離を増減させるように、前記ヒータ移動機構を制御することを特徴としている。
【００１６】
請求項５に記載の発明によれば、前記制御部は、ヒータと記録媒体との距離を増加させることで、前記ヒータから記録媒体に伝える熱量を容易に少なくすることができる。
【００１７】
請求項６に記載の発明は、請求項１から請求項５のいずれか一項に記載のインクジェット記録装置において、前記インクは、光を照射されることで硬化する光硬化型インクであることを特徴としている。
【００１８】
請求項６に記載の発明によれば、光硬化型インクを用いた場合に、記録媒体を加温して所定温度にすることで光硬化型インクを硬化させることに必要な光量を低下させることができる。また記録媒体の前記所定温度が決定されるので、記録媒体が前記温度以上であって記録媒体の変形等を生じる温度以下の記録媒体の温度で画像記録を行うことができる。
【００１９】
請求項７に記載の発明は、請求項１から請求項５のいずれか一項に記載のインクジェット記録装置において、前記インクは、カチオン重合系紫外線硬化型インクであることを特徴としている。
【００２０】
請求項７に記載の発明によれば、カチオン重合系紫外線硬化型インクを用いた場合に、記録媒体を加温して所定温度にすることでカチオン重合系紫外線硬化型インクを硬化させることに必要な光量を低下させることができる。また記録媒体の前記所定温度が決定されるので、記録媒体が前記温度以上であって記録媒体の変形等を生じる温度以下の記録媒体の温度で画像記録を行うことができる。
【００２１】
【発明の実施の形態】
以下、本発明の第一実施の形態を図１から図３を参照して説明する。
図１及び図２は、本発明に係るインクジェット記録装置の実施の一形態を示したもので、シリアルヘッド方式のインクジェット記録装置１である。
【００２２】
このインクジェット記録装置１には、棒状のガイドレール２が備えられており、このガイドレール２には、キャリッジ駆動機構３（図３参照）によりガイドレール２に沿って往復移動するキャリッジ４が支持されている。
【００２３】
キャリッジ４の移動可能範囲の中央部分には、記録媒体５を非記録面から支持する平板状の部材で構成されたプラテン６が設けられており、この領域は記録媒体５に画像記録を行う記録領域とされている。
【００２４】
キャリッジ４には、記録媒体５に対して、イエロー（Ｙ）、マゼンタ（Ｍ）、シアン（Ｃ）、ブラック（Ｋ）の各色のインクを吐出する図示しないノズルが設けられた記録ヘッド７，７・・が搭載されている。
【００２５】
また、キャリッジ４内であってこれら記録ヘッド７，７・・の走査方向Ｘにおける両側部には、紫外線を照射する紫外線照射装置８，８が搭載されており、この紫外線照射装置８，８には、前記ノズルから記録媒体５に吐出されたインクに対して、紫外線を照射する光源９，９が設けられている。
【００２６】
またキャリッジ４の移動可能範囲の一端側には、記録ヘッド７，７・・のメンテナンスを行うメンテナンス機構１０が設けられており、メンテナンス機構１０には、メンテナンス部材１０ａが記録ヘッド７，７・・と対応する数だけ設けられている。メンテナンス部材１０ａとしては、例えば記録ヘッド７，７・・のインク吐出口からインクを吸引する吸引ポンプなどを用いることができる。
【００２７】
また、このインクジェット記録装置１には、長尺の記録媒体５を記録領域に送り出す送出ローラ１１と画像が記録された記録媒体５を巻き取る巻取ローラ１２とが備えられており、この送出ローラ１１と巻取ローラ１２との間には、走査方向Ｘと直交する搬送方向Ｙに記録媒体５を搬送する複数の搬送ローラ１３ａ，１３ａ・・を配置した搬送機構１３（図２参照）が設けられている。搬送機構１３は、画像記録時において、キャリッジ４の動作に合わせて、記録媒体５の搬送と停止とを繰り返して記録媒体５を間欠的に搬送するようになっている。
【００２８】
記録ヘッド７，７・・の設置位置よりも搬送方向Ｙの上流側であって、記録媒体５の記録面と対向する位置には、記録媒体５と非接触であって記録媒体５の全幅にわたって延在する加熱応答性が高くかつ非接触型のヒータ１４を備える加温装置が設けられている。この加温装置には、パルス電圧をヒータ１４に印加する図示しない電圧電源が備えられており、この電圧電源はヒータ１４に印加される電圧のパルス間隔を変換することができるようになっている。この加温装置には、記録媒体５の記録面に対して垂直方向Ｚに往復移動するための図示しないヒータ移動機構１５が備えられている。
【００２９】
記録ヘッド７，７・・の設置位置よりも搬送方向Ｙの上流側であって加温装置の設置位置より搬送方向Ｙの下流側には、記録媒体５の表面温度を測定するため非接触型の温度センサを備えた温度検出装置１６が設けられている。
【００３０】
本実施形態において、インクジェット記録装置１には、図３に示すように、キャリッジ駆動機構３、搬送機構１３、記録ヘッド７，７・・、紫外線照射装置８，８、ヒータ１４、ヒータ移動機構１５及びメンテナンス機構１０を制御する制御部２５が設けられている。この制御部２５は、ＣＰＵ、ＲＯＭ及びＲＡＭから構成され、ＲＯＭに記録された処理プログラムをＲＡＭに展開してＣＰＵにより、この処理プログラムを実行する。
【００３１】
具体的に説明すると、制御部２５はキャリッジ４を走査方向Ｘに往復移動させるとともに、キャリッジ４の動作に合わせて記録媒体５の搬送と停止とを繰り返させ記録媒体５を間欠的に搬送方向Ｙに搬送させるように、キャリッジ駆動機構３及び搬送機構１３の動作を制御するようになっている。
【００３２】
また制御部２５は、記録媒体５にインクを吐出させ、記録媒体５上に所定の画像を形成させるように記録ヘッド７，７・・を制御するようになっており、さらに制御部２５は、記録媒体５に吐出されたインクに対して紫外線を照射するように紫外線照射装置８，８を制御するようになっている。
【００３３】
記録ヘッド７，７・・のメンテナンス開始の際には、制御部２５は、記録媒体５が搬送方向に搬送されないように搬送機構を制御するようになっており、同時に制御部２５は、記録ヘッド７，７・・からインクが吐出されないように記録ヘッド７，７・・を制御するようになっている。さらに制御部２５は、メンテナンス領域に記録ヘッド７，７・・を搭載したキャリッジ４を配置させるようにキャリッジ駆動機構３を制御するようになっている。
【００３４】
記録ヘッド７，７・・のメンテナンス時には、制御部２５は、記録ヘッド７，７・・をメンテナンスするようにメンテナンス機構１０を制御するようになっている。
【００３５】
記録ヘッド７，７・・のメンテナンス終了の際には、制御部２５は、画像記録を行えるように記録ヘッド７，７・・を搭載したキャリッジ４を記録領域に配置させるようにキャリッジ駆動機構３を制御するようになっている。
【００３６】
特に、本発明にかかる制御部２５には、温度検出装置１６が接続されており、制御部２５は温度検出装置１６による記録媒体５の温度の検出結果に応じて、記録媒体５に加える熱量を調節するためヒータ１４と記録媒体５との距離を増減させるようにヒータ移動機構１５を制御するようになっている。また制御部２５は、記録媒体５に加える熱量を調節するためヒータ１４に印加される電圧のパルス間隔を制御するようになっている。
【００３７】
なお、光源９としては、高圧水銀ランプ、メタルハライドランプ、熱陰極管、陰極管、ＬＥＤ等が適用される。
【００３８】
また、本実施の形態で使用するインクは、紫外線を照射することにより硬化する紫外線硬化型のインクである。紫外線硬化型のインクは、重合性化合物として、ラジカル重合性化合物を含むラジカル重合系インクとカチオン重合性化合物を含むカチオン重合系インクとに大別されるが、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。しかしながら、酸素による重合反応の阻害作用が少ない又は無いカチオン重合系インクのほうが機能性、汎用性に優れるため、特に、カチオン重合系インクを用いる。
【００３９】
さらに、記録媒体５としては、普通紙、再生紙、光沢紙等の各種紙、各種布地、各種不織布、樹脂、金属、ガラス等の材質からなる記録媒体５が適用可能である。特に、本実施形態で用いられる記録媒体５としては、所謂軟包装に用いられる透明又は不透明な非吸収性の樹脂製フィルムを適用する。
【００４０】
次に本実施形態の作用について説明する。
まず、制御部２５は搬送機構１３を動作させることにより記録媒体５をヒータ１４と対向する面に移動させる。その際、ヒータ１４を発熱させるために制御部２５は、ヒータに電圧を印加し、記録媒体５が画像記録に適正な温度となるように、ヒータ１４から記録媒体５に熱量が伝えられる。
【００４１】
また同時に、記録媒体５に効率よく熱量を伝えるために制御部２５は、ヒータ移動機構１５を制御してヒータ１４と記録媒体５との距離を減少させ、記録媒体５を短時間で画像記録に適正な温度まで上昇させる。
【００４２】
温度検出装置１６から記録媒体５が画像記録に適正な温度に加温されたことを入力された制御部２５は、搬送機構１３を動作させ、記録媒体５を記録ヘッド７，７・・と対向する位置に移動させる。
【００４３】
本実施形態では、記録媒体５の表面温度が、画像記録に適正な温度範囲として４０℃から５０℃の範囲となるように設定されており、温度検出装置１６が前記温度を検出した場合に、画像記録を行うようになっている。
【００４４】
次いで画像記録の動作中であって、記録媒体５の表面温度が６０℃から７０℃の温度であることを温度検出装置１６が検出した場合には、制御部２５はヒータ移動機構１５を制御して、ヒータ１４と記録媒体５との距離を増加させることにより記録媒体５に伝えられる熱量を低減させる。またヒータ１４の発熱量を低減させるために、制御部２５は電圧電源を制御して電圧のパルス幅を小さくさせる。これらの作用により記録媒体５の温度は、画像記録に適正な温度にまで下降する。
【００４５】
さらに制御部２５は、搬送機構１３及び記録ヘッド７，７・・の動作を停止した状態にし、記録媒体５に含まれる熱が外気に拡散され、温度検出装置１６が画像記録に適正な温度を検出するまで前記状態を維持する。温度検出装置１６が画像記録に適正な温度を検出した際に、制御部２５は搬送機構１３及び記録ヘッド７，７・・を再び動作させ、画像記録を再開する。
【００４６】
次に記録ヘッド７，７・・のメンテナンス時には、制御部２５はキャリッジ駆動機構３を制御して記録ヘッド７，７・・をメンテナンス領域に移動させ、同時に制御部２５は記録ヘッド７，７・・及び搬送機構１３の動作を停止させる。
【００４７】
メンテナンス部材１０ａと対向する位置に記録ヘッド７，７・・が搬送された際に、制御部２５はメンテナンス機構１０を動作させ記録ヘッド７，７・・のメンテナンスを行う。
【００４８】
前記メンテナンス時には、記録媒体５は搬送経路上に停留してしまうため、ヒータ１４と対向する記録媒体５の一部分のみ加温され続け、変形等を生じてしまうおそれがある。これを防ぐため、制御部２５は、記録媒体５に伝えられる熱量を低減させるように、ヒータ移動機構１５を制御して記録媒体５とヒータ１４との距離を増加させ同時に電圧電源を制御して電圧のパルス幅を小さくさせる。記録ヘッド７，７・・のメンテナンス終了後、制御部２５は、キャリッジ駆動機構３を駆動させ、記録領域に記録ヘッド７，７・・を移動させる。
【００４９】
本実施形態によれば、記録媒体５の表面温度が所定の値以上にならないようにするために、所定の温度を温度検出装置１６が測定した後に記録媒体５の温度を下げるという構成としているので、記録媒体５が変形等の品質劣化を生じることを防ぐことができ、本実施形態のインクジェット記録装置１により高品質の画像を提供することができる。
【００５０】
なお、本実施形態においては、ヒータ１４に印加される電圧を増減させヒータ１４より発生する熱量自体を増減させること、及びヒータ１４と記録媒体５との距離を増減させることを組み合わせて記録媒体５温度を調節する構成としたが、記録媒体温度の調節方法はこれに限られず、例えばヒータ１４と記録媒体５との距離の増減のみで記録媒体５の温度を調節することとしても良い。また、ヒータ１４に代えて、加熱装置として、記録媒体４に対して温風を吹き付ける温風装置を用いるようにしてもよい。
【００５１】
また、本実施形態においては、非記録動作時であるメンテナンス時において温度検出装置よって検出される記録媒体５の表面温度にかかわらず、制御部２５はヒータ移動機構１５を制御して、ヒータ１４と記録媒体５との距離を増加させる等の構成としたが、非記録動作時の記録媒体５の温度を調節する方法はこれに限られず、温度検出装置１６により所定の温度を検知した場合に、ヒータ１４と記録媒体５との距離を増加させる構成としてもよい。
【００５２】
さらに、本実施形態においては、シリアルヘッド方式の記録ヘッド７を用いることにしたが、記録媒体の全幅にわたって記録媒体の上方に設けられており、搬送されてくる記録媒体に対してインクを吐出することにより画像を形成するラインヘッド方式の記録ヘッドを用いるようにしてもよい。この場合、例えば、記録媒体の上方であって、記録媒体の搬送方向の上流側に、記録媒体の全幅にわたって、ヒータを昇降可能に設けるとともに、ヒータより記録媒体の搬送方向の下流側であって、記録媒体の上方に、記録媒体の温度を検出する温度検出装置を設けるようにするとよい。
【００５３】
次に、本発明の第二実施の形態を図４及び図５を参照して説明する。なお、本実施形態において、特に第一の実施形態と異なる点を説明する。図４及び図５は、本発明に係るインクジェット記録装置の実施の一形態を示したもので、シリアルヘッド方式のインクジェット記録装置１０１である。
【００５４】
このインクジェット記録装置１０１には、棒状のガイドレール１０２が備えられており、このガイドレール１０２には、図示しないキャリッジ駆動機構によりガイドレール１０２に沿って往復移動するキャリッジ１０４が支持されている。
【００５５】
キャリッジ１０４の移動可能範囲には、記録媒体１０５を非記録面から支持する平板状の部材で構成されたプラテン１０６が設けられており、このプラテン１０６には、プラテン１０６全体を加熱するための加温装置１１４が設けられている。
【００５６】
またインクジェット記録装置１０１には、プラテン１０６を記録媒体１０５の非記録面に対して垂直方向Ｚに往復移動するための図示しないプラテン移動機構１１５が備えられており、プラテン１０６上であって記録媒体１０５の記録面と対向する位置には、記録媒体１０５の温度を測定するための温度検出装置１１６が設けられている。
【００５７】
キャリッジ１０４には、記録媒体１０５に対して、インクを吐出する記録ヘッド１０７，１０７・・と、インクに対して紫外線を照射する光源１０９を有する紫外線照射装置１０８とが搭載されている。
【００５８】
記録ヘッド１０７，１０７・・の設置位置よりも搬送方向Ｙの最下流側には、記録後の記録媒体１０５を切断する切断装置１３０が設けられており、この切断装置には、記録媒体５の非記録面側の所定位置に固定された固定刃１３１と記録媒体５の記録面側の所定位置に配置された図示しない駆動機構によって移動可能な円盤形状のロータリーカッター１３２とが備えられている。この切断装置１３０は、画像記録を終えた記録媒体１０５に対して記録媒体１０５上を移動するロータリーカッター１３２を回転させることにより記録媒体１０５を所定の長さ寸法に切断するようになっている。
【００５９】
本実施形態において、インクジェット記録装置１０１には、キャリッジ駆動機構、搬送機構１１３、記録ヘッド１０７，１０７・・、紫外線照射装置１０８、ヒータ１１４、プラテン移動機構及び切断装置１３０を制御する制御部が設けられている。この制御部は、ＣＰＵ、ＲＯＭ及びＲＡＭから構成され、ＲＯＭに記録された処理プログラムをＲＡＭに展開してＣＰＵにより、この処理プログラムを実行する。
【００６０】
具体的に説明すると、記録媒体１０５の切断開始の際には、制御部は、記録媒体１０５が搬送方向に搬送されないように搬送機構を制御するようになっており、記録媒体１０５の切断時には、制御部は、記録媒体１０５を所定の長さに切断するように切断装置１３０を制御するようになっている。
【００６１】
特に、本発明にかかる制御部には、温度検出装置１１６が接続されており、制御部は温度検出装置１１６による記録媒体１０５の温度の検出結果に応じて、記録媒体１０５に加える熱量を調節するためプラテン１０６と記録媒体５との距離を増減させるようにプラテン移動機構１１５を制御するようになっている。また制御部は、記録媒体１０５にプラテン１０６を通じて加える熱量を調節するため加温装置１１４に印加される電圧のパルス間隔を制御するようになっている。
なお、第一実施形態のものと同様であるものは、その説明を省略した。
【００６２】
次に本実施形態の作用について説明する。
まず、制御部は加温装置１１４によりプラテン１０６を加熱させ、加熱されたプラテン１０６上に搬送された記録媒体１０５が、プラテン１０６から記録媒体１０５に熱量を伝え画像記録に適正な温度となるようする。記録媒体１０５の温度が画像記録に適正な温度であることを温度検出装置が検知した際に、制御部は、記録ヘッド１０７，１０７・・を制御してインクを吐出させ画像記録を行う。
【００６３】
次いで画像記録の動作中であって、記録媒体１０５の表面温度が６０℃から７０℃の温度であることを温度検出装置１１６が検出した場合には、制御部はプラテン移動機構を制御して、プラテン１０６と記録媒体１０５との距離を増加させる。これにより記録媒体１０５に伝えられる熱量が低減され、記録媒体１０５の温度は、画像記録に適正な温度にまで下降する。再び、温度検出装置１１６が画像記録に適正な温度を検出した際には、制御部は搬送機構１１３及び記録ヘッド１０７，１０７・・を制御して画像記録を再開させる。
【００６４】
次に画像を記録された記録媒体１０５の切断時には、制御部は搬送機構１１３を制御して、画像を記録された記録媒体１０５の切断される箇所を切断装置１３０と対向する位置に搬送させ、記録媒体１０５が前記位置に搬送された際に制御部は記録ヘッド１０７，１０７・・及び搬送機構１１３の動作を停止させる。
【００６５】
次いで、制御部は記録媒体１０５上を移動するロータリーカッター１３２を回転させることにより記録媒体１０５を所定の長さ寸法に切断する。
この記録媒体１０５の切断時には、記録媒体１０５は搬送経路上に停留してしまうため、プラテン１０６と当接する記録媒体１０５の一部分のみ加温され続け、変形等を生じてしまうおそれがある。これを防ぐため、制御部は記録媒体１０５に伝えられる熱量を低減させるように、プラテン移動機構を制御して記録媒体１０５とプラテン１０６との距離を増加させる。
【００６６】
記録媒体１０５の切断が終了した後、制御部はプラテン移動機構を制御してプラテン１０６を記録媒体１０５と当接する位置に再配置させる。
【００６７】
本実施形態によれば、記録媒体１０５の温度が所定の値以上にならないようにするために、所定の温度を温度センサが検知した際に、記録媒体１０５の温度を下げるようにしているので、記録媒体１０５が変形等の品質劣化を起こさなくなり、本実施形態のインクジェット記録装置１０１により高品質の画像を提供することができる。
【００６８】
なお、本発明が本実施の形態に限られないことは、第一の実施形態と同様である。
【００６９】
【発明の効果】
以上説明したように、請求項１に記載の発明によれば、温度検出装置により測定された記録媒体の温度が、予め設定された温度を超えた場合に、前記制御部は前記加温装置により記録媒体に加える熱量を少なくさせるので、記録媒体が変形等を生じる温度を超えてしまうことを回避することができる。そのため変形等の記録媒体の品質劣化を防止することができ、記録媒体の品質を維持した高品質な画像を得ることできるという効果がある。
【００７０】
請求項２に記載の発明によれば、制御部は、非記録動作時において記録媒体に加えられる熱量を少なくさせるので、非記録動作時において記録媒体が加温されている場合であっても記録媒体が変形等を生じる温度を超えてしまうことを回避することができ、記録媒体の品質を維持した高品質な画像を得ることできるという効果がある。
【００７１】
請求項３に記載の発明によれば、温度センサは記録媒体の表面温度を測定する際、記録媒体に接触しないので、記録媒体の搬送を妨げることがなく、また記録媒体に傷がつくことを防ぐことができる。そのため記録媒体の品質を維持した高品質な画像を得ることできるという効果がある。
【００７２】
請求項４に記載の発明によれば、ヒータは記録媒体を加温する際に、記録媒体に接触しないので、記録媒体の搬送を妨げることがなく、また記録媒体に傷がつくことを防ぐことができる。そのため記録媒体の品質を維持した高品質な画像を得ることできるという効果がある。
【００７３】
請求項５に記載の発明によれば、前記制御部は、ヒータと記録媒体との距離を増加させることで、前記ヒータから記録媒体に伝える熱量を容易に少なくすることができるという効果がある。
【００７４】
請求項６に記載の発明によれば、光硬化型インクを用いた場合に、記録媒体を加温して所定温度にすることで光硬化型インクを硬化させることに必要な光量を低下させることができる。また記録媒体の前記所定温度が決定されるので、記録媒体が前記温度以上であって記録媒体の変形等を生じる温度以下の記録媒体の温度で画像記録を行う制御部を得ることができる。そのためインクと記録媒体の組み合わせを変更しても、制御部に備えられているプログラムの変更が容易に行えるという効果がある。
【００７５】
請求項７に記載の発明によれば、カチオン重合系紫外線硬化型インクを用いた場合に、記録媒体を加温して所定温度にすることでカチオン重合系紫外線硬化型インクを硬化させることに必要な光量を低下させることができる。また記録媒体の前記所定温度が決定されるので、記録媒体が前記温度以上であって記録媒体の変形等を生じる温度以下の記録媒体の温度で画像記録を行う制御部を得ることができる。そのためインクと記録媒体の組み合わせを変更しても、制御部に備えられているプログラムの変更が容易に行えるという効果がある。
【図面の簡単な説明】
【図１】第一実施形態に係るインクジェット記録装置の要部を模式的に示した正面図である。
【図２】第一実施形態に係るインクジェット記録装置の要部を模式的に示した側面図である。
【図３】第一実施形態に係るインクジェット記録装置の制御構成の概略を示したブロック図である。
【図４】第二実施形態に係るインクジェット記録装置の要部を模式的に示した正面図である。
【図５】第二実施形態に係るインクジェット記録装置の要部を模式的に示した側面図である。
【符号の説明】
１  インクジェット記録装置
５  記録媒体
７  記録ヘッド
１０  メンテナンスユニット
１３  搬送機構
１４  ヒータ
１６  温度検出装置
１３０  切断装置
１３１  固定刃
１３２  ロータリーカッター
【図１】
2005014362.tif 000003
【図２】
2005014362.tif 000004
【図３】
2005014362.tif 000005
【図４】
2005014362.tif 000006
【図５】
2005014362.tif 000007